(57)【要約】【課題】吹出口から吹き出される空気の吹出方向が、記録媒体の幅方向から見て、記録媒体の搬送方向の下流側に傾き、傾き角度が６０〔度〕より大きい場合、又は２０〔度〕より小さい場合と比して、記録媒体にミストが付着するのを抑制することができる画像形成装置を得る。【解決手段】ミスト回収装置の吹出口から吹き出される空気の吹出方向が、記録媒体の幅方向から見て、記録媒体の搬送方向の下流側に傾き、傾き角度が２０〔度〕以上、６０〔度〕以下である。【選択図】図１
2019155651.tif 000002
【特許請求の範囲】
【請求項１】
記録媒体に向けて液滴を吐出する複数のノズルが形成されたノズル面を有し、記録媒体の搬送方向に間隔を空けて配置された複数の液滴吐出ヘッドと、
記録媒体の搬送方向において隣り合う前記液滴吐出ヘッドの間に配置され、記録媒体に向けて空気を吹き出す吹出口と、記録媒体の搬送方向において前記吹出口の上流側で、前記吹出口から吹き出される空気を前記液滴のミストと共に吸い込む吸込口とを有し、前記吹出口から吹き出される空気の吹出方向が、記録媒体の幅方向から見て、記録媒体の搬送方向の下流側に傾き、傾き角度が２０〔度〕以上、６０〔度〕以下であるミスト回収装置と、
記録媒体の搬送方向において隣り合う前記液滴吐出ヘッドと前記ミスト回収装置との間に配置され、搬送される記録媒体と対向した対向面が形成され、前記液滴のミストが、前記液滴吐出ヘッドと前記ミスト回収装置との間に進入するのを抑制する抑制部材と、
を備える画像形成装置。
【請求項２】
搬送される記録媒体と対向して記録媒体に向けて液滴を吐出する複数のノズルが形成されたノズル面を有し、記録媒体の搬送方向に間隔を空けて配置された複数の液滴吐出ヘッドと、
記録媒体の搬送方向において隣り合う前記液滴吐出ヘッドの間に配置され、記録媒体に向けて空気を吹き出す吹出口と、記録媒体の搬送方向において前記吹出口の上流側で、前記吹出口から吹き出される空気を前記液滴のミストと共に吸い込む吸込口と、前記吹出口から吹き出される空気が流れる吹出路とを有し、前記吹出路は、記録媒体の幅方向から見て、記録媒体の搬送方向の下流側に傾き、傾き角度が２０〔度〕以上、６０〔度〕以下であるミスト回収装置と、
記録媒体の搬送方向において隣り合う前記液滴吐出ヘッドと前記ミスト回収装置との間に配置され、搬送される記録媒体と対向した対向面が形成され、前記液滴のミストが、前記液滴吐出ヘッドと前記ミスト回収装置との間に進入するのを抑制する抑制部材と、
を備える画像形成装置。
【請求項３】
前記ミスト回収装置は、前記記録媒体に対向し、前記吹出口及び前記吸込口が形成された他の対向面を有し、
前記他の対向面から前記記録媒体までの距離をＬ１とし、記録媒体の搬送方向における前記吹出口から前記吸込口までの距離をＬ２とすると、下記式（１）が成り立っている請求項１又は２に記載の画像形成装置。
Ｌ２≦Ｌ１×１０・・・・・・・（１）
【請求項４】
前記ミスト回収装置は、前記吸込口から吸い込まれる空気が流れると共に、記録媒体の搬送方向の上流側を向く上流壁面を含んで形成された吸込路を有し、
前記他の対向面において、前記吸込口と前記吹出口との間の部分を第一対向面とし、
前記第一対向面と前記上流壁面とで形成される稜線には面取り部が形成されている請求項３に記載の画像形成装置。
【請求項５】
前記ミスト回収装置は、
前記記録媒体に対向し、前記吹出口及び前記吸込口が形成された他の対向面と、
前記吸込口から吸い込まれる空気が流れる吸込路と、を有し、
前記吸込路は、記録媒体の幅方向から見て、前記他の対向面が記録媒体と対向する対向方向に延びている、又は記録媒体の搬送方向の下流側に傾いている請求項１〜４の何れか１項に記載の画像形成装置。
【請求項６】
前記ミスト回収装置は、前記吹出口から吹き出される空気が流れる吹出路を有し、
前記吸込路は、記録媒体の幅方向から見て、前記吹出路に沿って延びている請求項５に記載の画像形成装置。
【請求項７】
前記ミスト回収装置は、前記記録媒体に対向し、前記吹出口及び前記吸込口が形成された他の対向面を有し、
前記他の対向面において、前記吸込口と前記吹出口との間の部分を第一対向面とし、記録媒体の搬送方向において、前記吸込口に対して上流側の部分を第二対向面とすると、
前記第二対向面から前記記録媒体までの距離は、前記第一対向面から前記記録媒体までの距離と比して長くなっている請求項１〜６の何れか１に記載の画像形成装置。
【請求項８】
前記ミスト回収装置は、前記吸込口から吸い込まれる空気が流れると共に、記録媒体の搬送方向の下流側を向く下流壁面を含んで形成された吸込路を有し、
前記第二対向面と前記下流壁面との稜線には面取り部が形成されている請求項７に記載の画像形成装置。
【請求項９】
前記ミスト回収装置は、前記記録媒体に対向し、前記吹出口及び前記吸込口が形成された他の対向面を有し、
前記吹出口から吹き出した空気を、前記他の対向面と記録媒体との間を流して前記吸込口から吸い込み、空気に含まれるミストを捕捉して、再度前記吹出口から吹き出す請求項１〜８の何れか１項に記載の画像形成装置。
【発明の詳細な説明】
【技術分野】
【０００１】
本発明は、画像形成装置に関する。
【背景技術】
【０００２】
特許文献１に記載のミスト回収機構は、ミストを含んだ空気を吸い込む吸込口と、ミストを含んだ空気を吸込口に導くために空気を吹き出す吹出口とを有している。
【先行技術文献】
【特許文献】
【０００３】
【特許文献１】特開２０１５−０８３３７２号公報
【発明の概要】
【発明が解決しようとする課題】
【０００４】
本発明の課題は、吹出口から吹き出される空気の吹出方向が、記録媒体の幅方向から見て、記録媒体の搬送方向の下流側に傾き、傾き角度が６０〔度〕より大きい場合、又は２０〔度〕より小さい場合と比して、記録媒体にミストが付着するのを抑制することである。
【課題を解決するための手段】
【０００５】
本発明の請求項１に係る画像形成装置は、記録媒体に向けて液滴を吐出する複数のノズルが形成されたノズル面を有し、記録媒体の搬送方向に間隔を空けて配置された複数の液滴吐出ヘッドと、記録媒体の搬送方向において隣り合う前記液滴吐出ヘッドの間に配置され、記録媒体に向けて空気を吹き出す吹出口と、記録媒体の搬送方向において前記吹出口の上流側で、前記吹出口から吹き出される空気を前記液滴のミストと共に吸い込む吸込口とを有し、前記吹出口から吹き出される空気の吹出方向が、記録媒体の幅方向から見て、記録媒体の搬送方向の下流側に傾き、傾き角度が２０〔度〕以上、６０〔度〕以下であるミスト回収装置と、記録媒体の搬送方向において隣り合う前記液滴吐出ヘッドと前記ミスト回収装置との間に配置され、搬送される記録媒体と対向した対向面が形成され、前記液滴のミストが、前記液滴吐出ヘッドと前記ミスト回収装置との間に進入するのを抑制する抑制部材と、を備えることを特徴とする。
【０００６】
本発明の請求項２に係る画像形成装置は、搬送される記録媒体と対向して記録媒体に向けて液滴を吐出する複数のノズルが形成されたノズル面を有し、記録媒体の搬送方向に間隔を空けて配置された複数の液滴吐出ヘッドと、記録媒体の搬送方向において隣り合う前記液滴吐出ヘッドの間に配置され、記録媒体に向けて空気を吹き出す吹出口と、記録媒体の搬送方向において前記吹出口の上流側で、前記吹出口から吹き出される空気を前記液滴のミストと共に吸い込む吸込口と、前記吹出口から吹き出される空気が流れる吹出路とを有し、前記吹出路は、記録媒体の幅方向から見て、記録媒体の搬送方向の下流側に傾き、傾き角度が２０〔度〕以上、６０〔度〕以下であるミスト回収装置と、記録媒体の搬送方向において隣り合う前記液滴吐出ヘッドと前記ミスト回収装置との間に配置され、搬送される記録媒体と対向した対向面が形成され、前記液滴のミストが、前記液滴吐出ヘッドと前記ミスト回収装置との間に進入するのを抑制する抑制部材と、を備えることを特徴とする。
【０００７】
本発明の請求項３に係る画像形成装置は、請求項１又は２に記載の画像形成装置において、前記ミスト回収装置は、前記記録媒体に対向し、前記吹出口及び前記吸込口が形成された他の対向面を有し、前記他の対向面から前記記録媒体までの距離をＬ１とし、記録媒体の搬送方向における前記吹出口から前記吸込口までの距離をＬ２とすると、下記式（１）が成り立っていることを特徴とする。
Ｌ２≦Ｌ１×１０・・・・・・・（１）
【０００８】
本発明の請求項４に係る画像形成装置は、請求項３に記載の画像形成装置において、前記ミスト回収装置は、前記吸込口から吸い込まれる空気が流れると共に、記録媒体の搬送方向の上流側を向く上流壁面を含んで形成された吸込路を有し、前記他の対向面において、前記吸込口と前記吹出口との間の部分を第一対向面とし、前記第一対向面と前記上流壁面とで形成される稜線には面取り部が形成されていることを特徴とする。
【０００９】
本発明の請求項５に係る画像形成装置は、請求項１〜４の何れか１項に記載の画像形成装置において、前記ミスト回収装置は、前記記録媒体に対向し、前記吹出口及び前記吸込口が形成された他の対向面と、前記吸込口から吸い込まれる空気が流れる吸込路と、を有し、前記吸込路は、記録媒体の幅方向から見て、前記他の対向面が記録媒体と対向する対向方向に延びている、又は記録媒体の搬送方向の下流側に傾いていることを特徴とする。
【００１０】
本発明の請求項６に係る画像形成装置は、請求項５に記載の画像形成装置において、前記ミスト回収装置は、前記吹出口から吹き出される空気が流れる吹出路を有し、前記吸込路は、記録媒体の幅方向から見て、前記吹出路に沿って延びていることを特徴とする。
【００１１】
本発明の請求項７に係る画像形成装置は、請求項１〜６の何れか１項に記載の画像形成装置において、前記ミスト回収装置は、前記記録媒体に対向し、前記吹出口及び前記吸込口が形成された他の対向面を有し、前記他の対向面において、前記吸込口と前記吹出口との間の部分を第一対向面とし、記録媒体の搬送方向において、前記吸込口に対して上流側の部分を第二対向面とすると、前記第二対向面から前記記録媒体までの距離は、前記第一対向面から前記記録媒体までの距離と比して長くなっていることを特徴とする。
【００１２】
本発明の請求項８に係る画像形成装置は、請求項７に記載の画像形成装置において、前記ミスト回収装置は、前記吸込口から吸い込まれる空気が流れると共に、記録媒体の搬送方向の下流側を向く下流壁面を含んで形成された吸込路を有し、前記第二対向面と前記下流壁面との稜線には面取り部が形成されていることを特徴とする。
【００１３】
本発明の請求項９に係る画像形成装置は、請求項１〜８の何れか１項に記載の画像形成装置において、前記ミスト回収装置は、前記記録媒体に対向し、前記吹出口及び前記吸込口が形成された他の対向面を有し、前記吹出口から吹き出した空気を、前記他の対向面と記録媒体との間を流して前記吸込口から吸い込み、空気に含まれるミストを捕捉して、再度前記吹出口から吹き出すことを特徴とする。
【発明の効果】
【００１４】
本発明の請求項１の画像形成装置によれば、吹出口から吹き出される空気の吹出方向が、記録媒体の幅方向から見て、記録媒体の搬送方向の下流側に傾き、傾き角度が６０〔度〕より大きい場合、又は２０〔度〕より小さい場合と比して、搬送される記録媒体にミストが付着するのを抑制することができる。
【００１５】
本発明の請求項２の画像形成装置によれば、吹出路が、記録媒体の幅方向から見て、記録媒体の搬送方向の下流側に傾き、傾き角度が６０〔度〕より大きい場合、又は２０〔度〕より小さい場合と比して、搬送される記録媒体にミストが付着するのを抑制することができる。
【００１６】
本発明の請求項３の画像形成装置によれば、吹出口から吸込口までの距離Ｌ２が他の対向面から記録媒体までの距離Ｌ１の１０倍より大きい場合と比して、搬送される記録媒体にミストが付着するのを抑制することができる。
【００１７】
本発明の請求項４の画像形成装置によれば、第一対向面と上流壁面とで角部（ピン角）が形成されている場合と比して、吹出口から吸込口までの距離を短くすることができる。
【００１８】
本発明の請求項５の画像形成装置によれば、吸込路が記録媒体の幅方向から見て記録媒体の搬送方向の上流側に傾いている場合と比して、吹出口から吹き出されて、記録媒体の搬送方向の上流側へ流れて吸込口から吸い込まれる空気の量を多くすることができる。
【００１９】
本発明の請求項６の画像形成装置によれば、他の対向面が記録媒体と対向する対向方向に吸込路が延びている場合と比して、吸込路と吹出路との間の最小厚さを保った上で、吹出口から吸込口までの距離を短くすることができる。
【００２０】
本発明の請求項７の画像形成装置によれば、第二対向面から記録媒体までの距離が、第一対向面から記録媒体までの距離と同じ場合と比して、記録媒体にミストが付着するのを抑制することができる。
【００２１】
本発明の請求項８の画像形成装置によれば、第二対向面と下流壁面とで角部（ピン角）が形成されている場合と比して、記録媒体にミストが付着するのを抑制することができる。
【００２２】
本発明の請求項９の画像形成装置によれば、吸込口から吸い込んだ空気を装置の外部に排出する排出機構を用いる場合と比して、部品点数を削減することができる。
【図面の簡単な説明】
【００２３】
【図１】本発明の第１実施形態に係る画像形成装置のミスト回収装置の吹出路及び吸込路を示した拡大断面図である。
【図２】本発明の第１実施形態に係る画像形成装置のミスト回収装置の吹出路及び吸込路を示した拡大断面図である。
【図３】本発明の第１実施形態に係る画像形成装置のミスト回収装置を示した断面図である。
【図４】（Ａ）（Ｂ）（Ｃ）本発明の第１実施形態に係る画像形成装置のミスト回収装置を評価した際の評価結果をグラフで示した図面である。
【図５】本発明の第１実施形態に係る画像形成装置のミスト回収装置を評価した際の評価結果をグラフで示した図面である。
【図６】本発明の第１実施形態に係る画像形成装置のミスト回収装置を評価した際の評価結果を表で示した図面である。
【図７】本発明の第１実施形態に係る画像形成装置の支持部材を示した斜視図である。
【図８】本発明の第１実施形態に係る画像形成装置の液滴吐出ヘッド、及びミスト回収装置を示した正面図である。
【図９】本発明の第１実施形態に係る画像形成装置を示した概略構成図である。
【図１０】本発明の第１実施形態に係る画像形成装置の変形形態を示した断面図である。
【図１１】本発明の第１実施形態に係る画像形成装置の比較形態を示した断面図である。
【図１２】本発明の第１実施形態に係る画像形成装置の比較形態を示した断面図である。
【図１３】本発明の第２実施形態に係る画像形成装置のミスト回収装置の吹出路及び吸込路を示した拡大断面図である。
【図１４】本発明の第３実施形態に係る画像形成装置のミスト回収装置の吹出路及び吸込路を示した拡大断面図である。
【図１５】本発明の第４実施形態に係る画像形成装置のミスト回収装置の吹出路及び吸込路を示した拡大断面図である。
【図１６】本発明の実施形態の変形形態を示した断面図である。
【発明を実施するための形態】
【００２４】
＜第１実施形態＞
本発明の第１実施形態に係る画像形成装置の一例を図１〜図１２に従って説明する。なお、図中に示す矢印Ｈは装置上下方向（鉛直方向）を示し、矢印Ｗは装置幅方向（水平方向）を示し、矢印Ｄは装置奥行方向（水平方向）を示す。
【００２５】
（画像形成装置１０の全体構成）
画像形成装置１０は、図９に示されるように、記録媒体としての連続紙Ｐを搬送する搬送機構２０と、インクジェット方式によって画像を形成する液滴吐出ヘッド３０と、液滴吐出ヘッド３０から吐出された液滴のミストを回収するミスト回収装置４０とを備えている。
【００２６】
〔搬送機構２０〕
搬送機構２０は、連続紙Ｐを巻き出す巻出ロール２２と、連続紙Ｐを巻き取る巻取ロール２４と、連続紙Ｐを搬送する複数の搬送ロール２６と、巻取ロール２４を回転駆動させる駆動部２８とを備えている。これにより、巻取ロール２４が、図中矢印方向に回転して連続紙Ｐを巻き取り、巻出ロール２２が連続紙Ｐを巻き出すようになっている。
【００２７】
また、複数の搬送ロール２６は、所謂従動ロールであって、巻出ロール２２と巻取ロール２４との間で連続紙Ｐに巻き掛けられている。これにより、複数の搬送ロール２６は、巻出ロール２２から巻取ロール２４までの連続紙Ｐの搬送経路１０２を定めるようになっている。そして、搬送ロール２６は、装置奥行方向から見て上方に凸となる円弧状に連続紙Ｐを搬送する円弧路１０２Ａを形成している。
【００２８】
〔液滴吐出ヘッド３０〕
液滴吐出ヘッド３０は、色ごとに４個備えられており、円弧路１０２Ａを搬送される連続紙Ｐと上下方向で対向するように、連続紙Ｐの上方に配置されている。本実施形態では、Ｙ（イエロー）の液滴を吐出する液滴吐出ヘッド３０Ｙ、Ｍ（マゼンタ）の液滴を吐出する液滴吐出ヘッド３０Ｍ、Ｃ（シアン）の液滴を吐出する液滴吐出ヘッド３０Ｃ、Ｋ（ブラック）の液滴を吐出する液滴吐出ヘッド３０Ｋが備えられている。そして、液滴吐出ヘッド３０Ｋ、液滴吐出ヘッド３０Ｃ、液滴吐出ヘッド３０Ｍ、及び液滴吐出ヘッド３０Ｙが、この順番で、連続紙Ｐの搬送方向の上流側から下流側に間隔を空けて並んでいる。なお、以下の説明では、各色を特に区別しない場合は、符号のアルファベットを省略する場合がある。
【００２９】
液滴吐出ヘッド３０は、装置奥行方向に延びた直方体状とされており、液滴吐出ヘッド３０には、図８に示されるように、複数のノズル（図示省略）が形成されたノズル面３２が形成されており、このノズル面３２が、搬送される連続紙Ｐと対向している。
【００３０】
〔ミスト回収装置４０〕
ミスト回収装置４０は、図９に示されるように、４個備えられており、各色の液滴吐出ヘッド３０に対して連続紙Ｐの搬送方向の下流側で、連続紙Ｐと上下方向で対向するように配置されている。なお、ミスト回収装置４０については、詳細を後述する。
【００３１】
（要部構成）
次に、ミスト回収装置４０、並びにミスト回収装置４０及び液滴吐出ヘッド３０を支持する支持部材８０について説明する。なお、以下の説明では、装置奥行方向から見て、搬送経路が装置幅方向に沿っている部分の連続紙Ｐと対向しているミスト回収装置４０を例にとってついて説明する。
【００３２】
〔ミスト回収装置４０〕
ミスト回収装置４０は、装置奥行方向に延びた直方体状とされており、図８、図９に示されるように、各色の液滴吐出ヘッド３０に対して連続紙Ｐの搬送方向の下流側で、連続紙Ｐと対向するように夫々配置されている。つまり、連続紙Ｐの搬送方向の上流側の３個のミスト回収装置４０は、連続紙Ｐの搬送方向において隣り合う液滴吐出ヘッド３０の間に配置されている。そして、ミスト回収装置４０は、図３に示されるように、筐体４４と、筐体４４の内部に配置されたファン４６、及びフィルタ４８とを備えている。
【００３３】
−筐体４４−
筐体４４は、下方が開口された箱状の本体部５０と、本体部５０の開口を閉塞する閉塞部５２とを備えている。閉塞部５２は、ミスト回収装置４０が連続紙Ｐと対向する対向方向（以下単に「装置対向方向」）に板面（後述する対向面５２Ａ）が向いた板状とされており、閉塞部５２の厚さ（板厚）は、本体部５０を形成する壁板５０Ａの厚さと比して厚くされている。
【００３４】
また、閉塞部５２には、搬送される連続紙Ｐと対向する対向面５２Ａが形成されている。対向面５２Ａは、他の対向面の一例である。さらに、この対向面５２Ａにおいて連続紙Ｐの搬送方向の上流側の部分には、記録媒体に向けて空気を吹き出す吹出口５６と、連続紙Ｐの搬送方向において吹出口５６の上流側で、吹出口５６から吹き出された空気を吸い込む吸込口６０とが形成されている。
【００３５】
また、閉塞部５２には、吹出口５６が下端に形成され、閉塞部５２を貫通すると共に吹出口５６から吹き出される空気が流れる吹出路５８が形成されている。換言すれば、吹出路５８の下端が吹出口５６とされている。さらに、閉塞部５２には、吸込口６０が下端に形成され、閉塞部５２を貫通すると共に吸込口６０から吸い込まれる空気が流れる吸込路６２が形成されている。換言すれば、吸込路６２の下端が吸込口６０とされている。
【００３６】
次に、吹出口５６、及び吹出路５８について説明する。
吹出路５８は、図２、図３に示されるように、装置奥行方向（連続紙Ｐの幅方向）から見て、連続紙Ｐの搬送方向の下流側に傾いている。具体的には、吹出路５８の下端は、吹出路５８の上端と比して、連続紙Ｐの搬送方向の下流側に配置されている。
【００３７】
そして、装置奥行方向（連続紙Ｐの幅方向）から見て、吹出路５８の傾き角度（図２のθ１）は、装置対向方向（図２では上下方向）に対して２０〔度〕以上、６０〔度〕以下とされている。
【００３８】
さらに、本実施形態では、吹出路５８の吹出し幅（図中Ｂ１）は、１〔ｍｍ〕とされている。この吹出路５８は、装置奥行方向に延びて形成されている。そして、吹出口５６は、この吹出路５８の下端に形成されている。
【００３９】
また、筐体４４の内部には、ファン４６及びフィルタ４８を下方から支持する支持部５４が形成されている。支持部５４は、装置奥行方向から見てＬ字状とされており、装置上下方向に延びた鉛直部５４Ａと、鉛直部５４Ａの上端から装置幅方向に延びた水平部５４Ｂとを有している。具体的には、鉛直部５４Ａの下端は、対向面５２Ａの反対側に形成された閉塞部５２の反対面５２Ｂにおいて、吹出路５８の上端と吸込路６２の上端との間の部分に取り付けられている。さらに、水平部５４Ｂは、鉛直部５４Ａの上端から装置幅方向の一方側（図中右側）へ延びている。そして、水平部５４Ｂの装置幅方向の一方側の端部は、筐体４４の壁板５０Ａと離間している。
【００４０】
この構成において、吹出口５６から吹き出される空気の吹出方向は、吹出路５８の傾き方向と同様で、装置奥行方向から見て、連続紙Ｐの搬送方向の下流側に傾いている。具体的には、空気の吹出方向は、装置対向方向に対して２０〔度〕以上、６０〔度〕以下とされている。換言すれば、吹出口５６から吹き出される空気は、連続紙Ｐにおいて吹出口５６と対向する部分に対して連続紙Ｐの搬送方向の下流側の部分に向けられている。
【００４１】
次に、吸込口６０、及び吸込路６２について説明する。
吸込路６２は、図２、図３に示されるように、連続紙Ｐの搬送方向において、吹出路５８の上流側に配置されており、装置奥行方向から見て、装置対向方向に延びている。さらに、本実施形態では、吸込路６２の吸込み幅（図中Ｂ２）は、３〔ｍｍ〕とされている。この吸込路６２は、装置奥行方向に延びて形成されている。そして、吸込口６０は、この吸込路６２の下端に形成されている。
【００４２】
また、吸込路６２の壁面には、液体を吸収する多孔質体であるスポンジ部材６４が形成されている。なお、吸込路６２の壁面を形成する部材については、ミストを捕捉する部材でればよく、例えば、不織布等であってもよい。
【００４３】
また、対向面５２Ａから連続紙Ｐまでの距離をＬ１とし、連続紙Ｐの搬送方向（図２では左右方向）における吹出口５６から吸込口６０までの距離をＬ２とすると、下記式（１）が成り立っている。なお、各図に示す対向面５２Ａから連続紙Ｐまでの距離については、対向面５２Ａと連続紙Ｐとの間の空気の流れを示すため、広くしている。
Ｌ２≦Ｌ１×１０・・・・・・・（１）
【００４４】
ここで、吹出口５６から吸込口６０までの距離とは、吹出口５６の縁部から吸込口６０の縁部までの最短距離である。なお、距離Ｌ２については、後述するミスト回収性能を考慮すると、Ｌ１の６倍以下が好ましく、Ｌ１の３倍以下がより好ましい。
【００４５】
また、吹出口５６から吹き出される空気の吹出方向を安定させるために、吹出路５８を長くする必要がある。このため、距離Ｌ２の最小値については、２〔ｍｍ〕以上が好ましく、４〔ｍｍ〕以上がより好ましい。なお、本実施形態では、距離Ｌ１は、１〔ｍｍ〕とされており、距離Ｌ２は、１０〔ｍｍ〕とされている。
【００４６】
−ファン４６、フィルタ４８−
ファン４６とフィルタ４８とは、図３に示されるように、筐体４４の内部で、装置幅方向に並んで配置されている。具体的には、ファン４６とフィルタ４８とは、装置幅方向の一方側（図中右側）から他方側（図中左側）にこの順番で並んでおり、支持部５４の水平部５４Ｂに下方から支持されている。そして、筐体４４の装置幅方向の一方側の壁板５０Ａとファン４６とは装置幅方向で離間しており、筐体４４の装置幅方向の他方側の壁板５０Ａとフィルタ４８とは装置幅方向で離間している。
【００４７】
ファン４６は、軸流ファンであって、装置奥行方向に並んで複数設けられており、空気を装置幅方向の他方側（図中左側）から一方側（図中右側）へ流すようになっている。
【００４８】
フィルタ４８は、空気と共に流れるミストを捕捉するための板状の部材であって、板面が装置幅方向を向いている。このフィルタ４８は、ミストＭを捕捉し、空気を通過させる部材である。そして、フィルタ４８は、装置奥行方向に延びている。
【００４９】
〔支持部材８０〕
支持部材８０は、図３、図９に示されるように、連続紙Ｐが円弧状に搬送される円弧路１０２Ａの上方に配置されている。支持部材８０とミスト回収装置４０、吐出ヘッド３０は、円弧路１０２Ａとの間に空間を形成する。実施例において支持部材８０は、装置幅方向から見て、円弧路１０２に沿った円弧状とされており、支持部材８０には、連続紙Ｐに対向する対向面８０Ａが形成されている。支持部材８０は、抑制部材の一例である。
【００５０】
また、支持部材８０には、図７に示されるように、上方から見て、装置奥行方向に延びた矩形状の貫通孔８０Ｂが、連続紙Ｐの搬送方向の上流側から下流側へ間隔を空けて複数形成されている。この貫通孔８０Ｂに、液滴吐出ヘッド３０の下端部、及びミスト回収装置４０の下端部が夫々挿入されている。そして、支持部材８０の対向面８０Ａと、液滴吐出ヘッド３０のノズル面３２と、ミスト回収装置４０の対向面５２Ａとが同一曲面上に配置された状態で、液滴吐出ヘッド３０、及びミスト回収装置４０が、図示せぬ取付部材を用いて支持部材８０に取り付けられている（図８参照）。なお、支持部材８０については、例えば、液滴吐出ヘッド３０を支持する機能を有さず、液滴吐出ヘッド３０から吐出された液滴のミストＭが、液滴吐出ヘッド３０とミスト回収装置４０との間に進入するのを抑制する機能を有していればよい。この場合には、液滴吐出ヘッド３０を支持する他の部材が必要となる。支持部材８０は一体でなく、分割されて円弧路に１０２Ａに対向するように組合せによって抑制部材として機能させてもよい。
【００５１】
（作用）
次に、ミスト回収装置４０の作用について主に説明する。
【００５２】
画像形成装置１０を稼動させ、画像形成装置１０が画像形成指示を受けると、連続紙Ｐが搬送され、各色の液滴吐出ヘッド３０が搬送される連続紙Ｐに向けて液滴（インク滴）を吐出する。液滴吐出ヘッド３０からは、液滴と共にミスト（霧状の液体）も吐出されてしまう。このミストＭは、搬送される連続紙Ｐに沿って連続紙Ｐの搬送方向の上流側から下流側へ、空気中を浮遊しながら流れる。
【００５３】
一方、図３に示すミスト回収装置４０においては、ファン４６が稼動することで、ファン４６は、空気を装置幅方向の他方側（図中左側）から一方側（図中右側）へ流す。換言すれば、ファン４６は、ファン４６に対して装置幅方向の他方側の空気を吸引し、ファン４６に対して装置幅方向の一方側へ空気を排出する。ファン４６から排出された空気は、壁板５０Ａへ当たり下方へ流れる（図３の矢印Ｇ１参照）。また、下方へ流れた空気は、閉塞部５２の反対面５２Ｂに当たり装置幅方向の他方側へ流れる（図３の矢印Ｇ２参照）。さらに、装置幅方向の他方側へ流れた空気は、支持部５４の鉛直部５４Ａに当たって、吹出路５８へ流れる（図３の矢印Ｇ３参照）。  
【００５４】
また、ファン４６が、ファン４６に対して装置幅方向の他方側の空気を吸引することで、連続紙Ｐと吸込口６０との間の空気が吸込口６０から吸い込まれ、吸い込まれた空気は、吸込路６２を流れ、吸込路６２から上方へ流れる（図３の矢印Ｇ４）。さらに、上方へ流れた空気は、フィルタ４８を通ってファン４６側へ流れる（図３の矢印Ｇ５参照）。
【００５５】
ここで、図１に示されるように、吹出路５８へ流れた空気は、吹出口５６から搬送される連続紙Ｐに向けて吹き出る。また、前述したように、連続紙Ｐと吸込口６０との間の空気が吸込口６０から吸い込まれている（図１の矢印Ｇ４）。このため、吹出口５６から搬送される連続紙Ｐに向けて吹き出された空気は、連続紙Ｐの搬送方向の上流側へ折返し、吸込口６０から吸い込まれる（図１の矢印Ｇ６）。これにより、吸込口６０と連続紙Ｐとの間には、連続紙Ｐの表面から吸込口６０へ流れる空気流が生じる（図中部位Ｊ１）。
【００５６】
そこで、搬送される連続紙Ｐに沿って連続紙Ｐの搬送方向の下流側へ空気中を浮遊しながら流れるミストＭは、この空気流によって堰き止められ、吸込口６０を通って吸込路６２へ流れ込む。さらに、吸込路６２へ流れたミストＭは、フィルタ４８によって捕捉されることで、回収される。
【００５７】
次に、連続紙Ｐに沿って連続紙Ｐの搬送方向の下流側へ流れるミストＭのミスト回収率について、解析を用いて評価した結果について説明する。なお、ミスト回収率とは、発生したミストＭに対して回収することができたミストＭの比率である。
【００５８】
〔要因評価〕
先ず、ミスト回収率が何の要因で大きく変わるのかを、解析を用いて評価した。なお、以下に説明する図４の各図の縦軸については、スケールは同じである。
【００５９】
図４（Ａ）には、縦軸をミスト回収率とし、横軸を吸込路６２の吸込み幅Ｂ２（図２参照）としたグラフが示されている。このグラフから、吸込み幅Ｂ２の大小によるミスト回収率の変化は、小さいことが分かる。
【００６０】
図４（Ｂ）には、縦軸をミスト回収率とし、横軸を吹出路５８の傾き角度θ１（図２参照）としたグラフが示されている。このグラフから、傾き角度θ１の大小によるミスト回収率の変化は、大きいことが分かる。
【００６１】
図４（Ｃ）には、縦軸をミスト回収率とし、横軸を吹出口５６から吸込口６０までの距離Ｌ２（図２参照）としたグラフが示されている。このグラフから、距離Ｌ２の大小によるミスト回収率の変化は、大きいことが分かる。
【００６２】
以上の要因評価結果より、吹出路５８の傾き角度θ１、又は吹出口５６から吸込口６０までの距離Ｌ２を変えることで、ミスト回収率が大きく変わることが分かる。
【００６３】
−傾き角度θ１−
次に、吹出路５８の傾き角度θ１を細かく設定し、傾き角度θ１とミスト回収率との関係を、解析を用いて評価した。
【００６４】
図５には、縦軸をミスト回収率とし、横軸を吹出路５８の傾き角度θ１（図２参照）としたグラフが示されている。このグラフから、傾き角度θ１の大小によるミスト回収率の変化は、大きいことが分かる。
【００６５】
なお、解析においては、連続紙Ｐの搬送速度を１００〔ｍ／ｍｉｎ〕とし、吹出口から吹き出される空気の吹出速度を３〔ｍ／ｓ〕とし、吸込口から吸い込まれる空気の吸込速度を１〔ｍ／ｓ〕とした。さらに、対向面５２Ａから連続紙Ｐまでの距離Ｌ１を１〔ｍｍ〕とし、吹出口５６から吸込口６０までの距離Ｌ２については、２０〔ｍｍ〕とした。
【００６６】
図５に示すグラフから分かるように、傾き角度が２０〔度〕以上、６０〔度〕以下で、ミスト回収率が、８２〔％〕以上になっている。経験上、解析によって算出されたミスト回収率が８２〔％〕である場合には、ハーフトーン画像が形成された連続紙Ｐに付着するミストＭによる出力画像の品質低下は、商品性上許容できるレベルであが、更に、傾き角度が３０〔度〕以上、４５〔度〕以下が好ましい。
【００６７】
−考察−
次に、前述した結果について考察する。傾き角度を２０〔度〕以上、６０〔度〕以下とすることで、図１に示されるように、吹出口５６から搬送される連続紙Ｐに向けて吹き出された空気が、連続紙Ｐの表面付近で搬送方向の上流側へ折り返す。具体的には、吹出口５６から吹き出された空気が、一度連続紙Ｐの搬送方向の下流側へ向かい、連続紙Ｐの表面付近で搬送方向の上流側へ折り返す。そして、折り返した空気が、吸込口６０の下方まで流れ、ここで上方へ向かう（図１の矢印Ｇ６）。
【００６８】
このため、吸込口６０の下方では、連続紙Ｐの表面付近から吸込口６０へ流れる空気流が生じる（部位Ｊ１）。連続紙Ｐの搬送方向の上流側から流れるミストＭは、この空気流に当たって、堰き止められて、吸込口６０から吸込路６２に吸い込まれると考える。
【００６９】
これに対して、傾き角度が、６０〔度〕より大きくなる第１比較形態では、傾き角度が大きいため、図１１に示されるように、吹出口から搬送される連続紙Ｐに向けて吹き出された空気において、連続紙Ｐの搬送方向の下流側へ流れる割合が多くなる（図１１の矢印Ｇ１０）。このため、吹出口から搬送される連続紙Ｐに向けて吹き出され、搬送方向の上流側へ折り返す空気（図１１の矢印Ｇ１１）の量が少なくなる。このため、連続紙Ｐの表面付近から吸込口へ流れる空気流（部位Ｊ２）が弱くなることで、堰き止め効果が弱くなり、吸込口６０から吸込路６２に吸い込まれるミストＭの量が少なくなると考える。
【００７０】
また、傾き角度が、２０〔度〕より小さくなる第２比較形態では、傾き角度が小さいため、図１２に示されるように、吹出口から搬送される連続紙Ｐに向けて吹き出された空気が、連続紙Ｐの表面付近に到達する前に搬送方向の上流側へ折り返す（図１１の矢印Ｇ２０）。そして、折り返した空気が、吸込口６０の下方まで流れ、ここで上方へ向かう。このため、吸込口６０の下方では、連続紙Ｐの表面から離れた位置から吸込口６０へ流れる空気流が生じる（部位Ｊ３）。これにより、この空気流に当たって堰き止められるミストＭの量が少なくなり、吸込口６０から吸込路６２に吸い込まれるミストＭの量が少なくなると考える。
【００７１】
−吹出口から吸込口までの距離Ｌ２−
次に、吹出口５６から吸込口６０までの距離Ｌ２を細かく設定し、距離Ｌ２とミスト回収率との関係を、解析を用いて評価した。
【００７２】
図６には、吹出路５８の傾き角度θ１を、２０〔度〕、６０〔度〕とし、吹出口５６から吸込口６０までの距離Ｌ２を、４〔ｍｍ〕〜２０〔ｍｍ〕とした場合のミスト回収率が表で示されている。
【００７３】
ミスト回収率が８２〔％〕以上の場合を「Ｃ」、ミスト回収率が８４〔％〕以上の場合を「Ｂ」、ミスト回収率が８６〔％〕以上の場合を「Ａ」とした。図６に示す表から分かるように、距離Ｌ２が４〔ｍｍ〕以上、６〔ｍｍ〕以下の場合に、評価「Ａ」となり、距離Ｌ２が８〔ｍｍ〕以上、１０〔ｍｍ〕以下の場合に、評価「Ｂ」となり、距離Ｌ２が１２〔ｍｍ〕以上、２０〔ｍｍ〕以下の場合に、評価「Ｃ」となった。
【００７４】
経験上、解析によって算出されたミスト回収率が８４〔％〕である場合には、連続紙Ｐに付着するミストＭを見つけることができるが気になるレベルではない。また、解析によって算出されたミスト回収率が８６〔％〕である場合には、連続紙Ｐに付着するミストＭを見つけることが困難なレベルとなる。
【００７５】
なお、解析においては、連続紙Ｐの搬送速度を１００〔ｍ／ｍｉｎ〕とし、吹出口から吹き出される空気の吹出速度を３〔ｍ／ｓ〕とし、吸込口から吸い込まれる空気の吸込速度を１〔ｍ／ｓ〕とし、対向面５２Ａから連続紙Ｐまでの距離Ｌ１を１〔ｍｍ〕とした。
【００７６】
−考察−
次に、前述した結果について考察する。吹出口５６から吸込口６０までの距離Ｌ２が長い場合は、距離Ｌ２が短い場合と比して、吹出口５６から吹き出されて吸込口６０から吸い込まれる空気の量が少なくなると考えられる。これは、距離Ｌ２が長い場合は、距離Ｌ２が短い場合と比して、吹出口５６から吸込口６０へ流れる単位流量当たりの空気と対向面５２Ａとの間で生じる摩擦力が大きくなるためである。このため、吹出口５６から吸込口６０までの距離Ｌ２が長い場合は、距離Ｌ２が短い場合と比して、吹出口５６から吸込口６０へ流れる空気の量が少なくなり、ミスト回収率が低くなる。
【００７７】
図６に示す表から分かるように、ミスト回収率を考慮すると、対向面５２Ａから連続紙Ｐまでの距離Ｌ１が、１〔ｍｍ〕の場合には、距離Ｌ２については、１０〔ｍｍ〕以下が好ましく、６〔ｍｍ〕以下がより好ましい。
【００７８】
ここで、前述したように、ミスト回収率に差が生じるのは、距離Ｌ２が長い場合は、距離Ｌ２が短い場合と比して、吹出口５６から吸込口６０へ流れる単位流量当たりの空気と対向面５２Ａとの間で生じる摩擦力が大きくなるためである。このため、対向面５２Ａから連続紙Ｐまでの距離Ｌ１が長くなると、吹出口５６から吸込口６０へ流れる単位流量当たりの空気と対向面５２Ａとの間で生じる摩擦力が小さくなる。今回の解析では、距離Ｌ１を１〔ｍｍ〕とした場合に、距離Ｌ２については、１０〔ｍｍ〕以下が好ましく、６〔ｍｍ〕以下がより好ましくなっている。つまり、距離Ｌ２については、対向面５２Ａから連続紙Ｐまでの距離Ｌ１の１０倍以下が好ましく、距離Ｌ１の６倍以下がより好ましい。
【００７９】
（まとめ）
以上説明したように、吹出路５８の傾き角度θ１は、２０〔度〕以上、６０〔度〕以下である。このため、傾き角度θ１が、６０〔度〕より大きい場合、又は２０〔度〕より小さい場合と比して、ミスト回収率が高くなることで、連続紙ＰにミストＭが付着するのが抑制される。
【００８０】
また、吹出口５６から吸込口６０までの距離Ｌ２については、対向面５２Ａから連続紙Ｐまでの距離Ｌ１の１０倍以下となっている。このため、距離Ｌ２が距離Ｌ１の１０倍より大きい場合と比して、ミスト回収率が高くなることで、連続紙ＰにミストＭが付着するのが抑制される。
【００８１】
また、吸込路６２は、装置奥行方向から見て、装置対向方向に延びている。このため、例えば、図１０に示されるように、吸込路が連続紙Ｐの搬送方向の上流側に傾いている場合と比して、吹出口５６から吹き出されて、連続紙Ｐの搬送方向の上流側へ流れて吸込口６０から吸い込まれる空気の量が多くなる。これにより、吸込路が連続紙Ｐの搬送方向の上流側に傾いている場合と比して、連続紙ＰにミストＭが付着するのが抑制される。
【００８２】
また、吹出口５６から吹き出された空気は、対向面５２Ａと連続紙Ｐとの間を流れて吸込口６０から吸い込まれ、フィルタ４８及びファン４６を通って再度吹出口５６から吹き出される。このため、空気を画像形成装置１０の外部に排出する排出機構を用いる場合と比して、部品点数が削減される。
【００８３】
ミスト回収装置で回収されなかったミストＭの中には、連続紙Ｐに付着せずに下流側の吐出ヘッド３０近傍まで浮遊したまま流れてくるものがあるが、その中には静電力などの影響により吐出ヘッド表面に付着してしまうものがある。そうなると吐出ヘッド表面の汚れが加速してしまうためにクリーニングなどのメンテナンスコストが増大するだけでなく、付着したミストＭが原因となって吐出ヘッド３０からの液滴吐出精度が低下したり液滴吐出自体が妨害されたりして印刷品質を低下させてしまう場合がある。ミスト回収率の向上には、これらのトラブルを防止する効果もある。
【００８４】
また、本発明のミスト回収装置では吹出口５６から吹き出された空気のほとんどは上流側に進行し、吸込口６０から吸引されるため、吹出口５６より下流側にある吐出ヘッド３０の方向にはほとんど向かわない。吹出口５６から出て下流側に向かう空気が増えてしまうと、その余分な風速によって吐出ヘッド３０から吐出される液滴の飛翔精度および着弾位置精度が低下し、印刷品質を低下させてしまう場合がある。本発明のミスト回収装置には、これらのトラブルを防止する効果もある。
【００８５】
＜第２実施形態＞
本発明の第２実施形態に係る画像形成装置の一例を図１３に従って説明する。なお、第２実施形態の画像形成装置については、第１実施形態の画像形成装置と異なる部分を主に説明する。
【００８６】
第２実施形態の画像形成装置１１０に備えられたミスト回収装置１４０では、図１３に示されるように、ミスト回収装置１４０の対向面５２Ａにおいて吸込口６０と吹出口５６との間の部分は、第一対向面１５４とされている。さらに、吸込路６２を形成する壁面において、連続紙Ｐの搬送方向の上流側を向く壁面は、上流壁面６２Ａとされている。そして、第一対向面１５４と上流壁面６２Ａとの稜線には平面状の面取り部１５８（所謂Ｃ面取り）が形成されている。
【００８７】
このため、第一対向面１５４と上流壁面６２Ａと角部（ピン角）が形成されている場合と比して、吹出口５６から吸込口６０までの距離Ｌ２が短くなることでミスト回収率が高くなり、連続紙ＰにミストＭが付着するのが抑制される。
【００８８】
なお、第２実施形態の他の作用については、第１実施形態の作用と同様である。
【００８９】
＜第３実施形態＞
本発明の第３実施形態に係る画像形成装置の一例を図１４に従って説明する。なお、第３実施形態の画像形成装置については、第１実施形態の画像形成装置と異なる部分を主に説明する。
【００９０】
第３実施形態の画像形成装置２１０に備えられたミスト回収装置２４０では、図１４に示されるように、装置奥行方向から見て、吸込路２６２は、吹出路５８に沿って延びている。
【００９１】
このため、吸込路が装置対向方向に延びている場合と比して、吸込路２６２と吹出路５８との間の最小厚さを保った上で吹出口５６から吸込口２６０までの距離Ｌ２が短くなる。さらに、距離Ｌ２が短くなることで、吸込路が装置対向方向に延びている場合と比して、ミスト回収率が高くなり、連続紙ＰにミストＭが付着するのが抑制される。
【００９２】
＜第４実施形態＞
本発明の第４実施形態に係る画像形成装置の一例を図１５に従って説明する。なお、第４実施形態の画像形成装置については、第１実施形態の画像形成装置と異なる部分を主に説明する。
【００９３】
第４実施形態の画像形成装置３１０に備えられたミスト回収装置３４０では、図１５に示されるように、ミスト回収装置３４０の対向面５２Ａにおいて吸込口６０と吹出口５６との間の部分は、第一対向面３５４とされている。さらに、対向面５２Ａにおいて吸込口６０に対して連続紙Ｐの搬送方方向の上流部分は、第二対向面３５８とされている。そして、第二対向面３５８から連続紙Ｐまでの距離（図１５のＬ１０）は、第一対向面３５４から連続紙Ｐまでの距離（図１５のＬ１１）と比して長くなっている。なお、本実施形態においては、距離Ｌ１１は、第１実施形態の距離Ｌ１と同様の距離である。
【００９４】
また、吸込路６２を形成すると共に連続紙Ｐの搬送方向の下流側を向く壁面は、下流壁面６２Ｂとされている。そして、第二対向面３５８と下流壁面６２Ｂとの稜線には平面状の面取り部３６２（所謂Ｃ面取り）が形成されている。
【００９５】
この構成において、連続紙Ｐの搬送方向の上流側から下流側へ空気中を浮遊しながら流れるミストＭにおいて連続紙Ｐと離れている部分は、吸込路６２を形成する壁面によって堰き止められる（図中部位Ｊ４）。堰き止められたミストＭは吸込口６０を通って吸込路６２へ流れる。
【００９６】
このため、第二対向面から連続紙Ｐまでの距離が第一対向面から連続紙Ｐまでの距離と同じ場合と比して、ミスト回収率が高くなることで、連続紙ＰにミストＭが付着するのが抑制される。
【００９７】
また、第二対向面３５８と下流壁面６２Ｂとの稜線には面取り部３６２が形成されている。このため、第二対向面と下流壁面とで角部（ピン角）が形成されている場合と比して、吸込路６２を形成する壁面によって堰き止められるミストＭの量が多くなる。これにより、ミスト回収率が高くなり、連続紙ＰにミストＭが付着するのが抑制される。
【００９８】
なお、本発明を特定の実施形態について詳細に説明したが、本発明は係る実施形態に限定されるものではなく、本発明の範囲内にて他の種々の実施形態をとることが可能であることは当業者にとって明らかである。例えば、上記実施形態では、吹出路５８の傾き角度を変えることで、吹出口５６から吹き出される空気の吹出方向を変えたが、吹出口にフィン等を配置することで、空気の吹出方向を変えてもよい。
【００９９】
また、上記実施形態では、吹出口５６から吸込口６０までの距離Ｌ２は、対向面５２Ａから連続紙Ｐまでの距離Ｌ１の１０倍以下とされたが、距離Ｌ２が距離Ｌ１の１０倍より大きくてもよい。しかし、この場合には、距離Ｌ２を距離Ｌ１の１０倍以下とすることで奏する同等の作用は奏しない。
【０１００】
また、上記第２実施形態、第４実施形態で稜線に形成された面取り部は、Ｃ面取りであったが、例えば、Ｒ面取りであってもよい。
【０１０１】
また、上記実施形態では、連続紙Ｐに画像を形成する画像形成装置１０、１１０、２１０、３１０を用いて各実施形態を説明したが、枚葉紙に画像を形成する画像形成装置であってもよい。
【０１０２】
また、上記実施形態では、支持部材８０と液滴吐出ヘッド３０とが別体であったが、支持部材８０の対向面８０Ａが形成された部材と、液滴吐出ヘッド３０のノズル面３２が形成された部材とが一体的に形成されてもよい。
【０１０３】
また、上記実施形態では、支持部材８０とミスト回収装置４０、１４０、２４０、３４０が別体であったが、支持部材８０の対向面８０Ａが形成さらた部材と、ミスト回収装置４０、１４０、２４０、３４０の対向面５２Ａが形成された部材とが一体的に形成されてもよい。
【０１０４】
また、上記実施形態では、特に説明しなかったが、連続紙Ｐの搬送速度に応じて、吹出口５６から吹き出される空気の吹出速度を変えてもよい。
【０１０５】
また、上記実施形態では、特に説明しなかったが、吹出路の幅が下端と上端で異なる場合は、図１６に示されるように、下端の中心と上端の中心とを結んだ線を用いて、吹出路の傾き角度を測定する。
【０１０６】
また、上記実施形態では、連続紙Ｐの搬送方向において液滴吐出ヘッド３０Ｙの下流側にもミスト回収装置４０が配置されたが、ミスト回収装置４０は、連続紙Ｐの搬送方向において隣り合う液滴吐出ヘッド３０の間に配置されていればよい。
【符号の説明】
【０１０７】
１０  画像形成装置
３０  液滴吐出ヘッド
３２  ノズル面
４０  ミスト回収装置
５２Ａ      対向面（他の対向面の一例）
５６  吹出口
５８  吹出路
６０  吸込口
６２  吸込路
６２Ａ      上流壁面
６２Ｂ      下流壁面
８０  支持部材（抑制部材の一例）
８０Ａ      対向面
１１０      画像形成装置
１４０      ミスト回収装置
１５４      第一対向面
１５８      面取り部
２１０      画像形成装置
２４０      ミスト回収装置
２６０      吸込口
２６２      吸込路
３１０      画像形成装置
３４０      ミスト回収装置
３５４      第一対向面
３５８      第二対向面
３６２      面取り部
【図１】
2019155651.tif 000003
【図２】
2019155651.tif 000004
【図３】
2019155651.tif 000005
【図４】
2019155651.tif 000006
【図５】
2019155651.tif 000007
【図６】
2019155651.tif 000008
【図７】
2019155651.tif 000009
【図８】
2019155651.tif 000010
【図９】
2019155651.tif 000011
【図１０】
2019155651.tif 000012
【図１１】
2019155651.tif 000013
【図１２】
2019155651.tif 000014
【図１３】
2019155651.tif 000015
【図１４】
2019155651.tif 000016
【図１５】
2019155651.tif 000017
【図１６】
2019155651.tif 000018